(57)【要約】【課題】外部からの酸素や水分等の侵入に起因して性能が早期に低下することがない発光装置、を提供する。【解決手段】発光装置１０は、発光面および裏面を有し、面方向に並んで配置される複数の面状発光部３１と、複数の面状発光部３１とその厚み方向に重ね合わされ、複数の面状発光部３１に電気的に接続される配線部材５１と、複数の面状発光部３１を発光面および裏面の両側から覆うように設けられ、複数の面状発光部３１および配線部材５１を封止する封止部材２０とを備える。配線部材５１は、外部から電力が供給される電極部を有する。封止部材２０には、電極部を露出させる開口部２２が形成される。開口部２２は、複数の面状発光部３１の全てが配置される面領域の外側に配置される。【選択図】図１
2017050153.tif 000002
【特許請求の範囲】
【請求項１】
発光面と、前記発光面の裏側に配置される裏面とを有し、面方向に並んで配置される複数の面状発光部と、
複数の前記面状発光部とその厚み方向に重ね合わされ、複数の前記面状発光部に電気的に接続される配線部材と、
複数の前記面状発光部を前記発光面および前記裏面の両側から覆うように設けられ、複数の前記面状発光部および前記配線部材を封止する封止部材とを備え、
前記配線部材は、外部から電力が供給される電極部を有し、
前記封止部材には、前記電極部を露出させる開口部が形成され、
前記開口部は、複数の前記面状発光部の全てが配置される面領域の外側に配置される、発光装置。
【請求項２】
前記配線部材は、複数の前記電極部を有し、
前記封止部材には、複数の前記電極部の各々を露出させ、互いに近接して配置される複数の前記開口部が形成される、請求項１に記載の発光装置。
【請求項３】
前記配線部材は、複数の前記電極部を有し、
前記封止部材には、複数の前記電極部を露出させる１つの前記開口部が形成される、請求項１に記載の発光装置。
【請求項４】
前記開口部の開口縁は、同一面内に配置され、前記配線部材に密着される、請求項１から３のいずれか１項に記載の発光装置。
【請求項５】
前記面状発光部は、基板と、前記基板上に設けられる発光素子と、前記基板上に設けられ、前記発光素子を封止する封止層とを有する、請求項１から４のいずれか１項に記載の発光装置。
【請求項６】
前記封止部材は、前記発光面側に配置される第１封止シートと、前記裏面側に配置される第２封止シートとを含み、
前記第１封止シートおよび前記第２封止シートの周縁が全周に渡って接合されることにより、複数の前記面状発光部および前記配線部材が封止される、請求項１から５のいずれか１項に記載の発光装置。
【発明の詳細な説明】
【技術分野】
【０００１】
この発明は、一般的には、発光装置に関し、より特定的には、複数の面状発光部の封止構造を備える発光装置に関する。
【背景技術】
【０００２】
従来の発光装置に関して、たとえば、特開２０１０−２４４６９８号公報には、機械的強度が強く、封止性に優れることを目的とした、有機ＥＬ装置が開示されている（特許文献１）。特許文献１に開示された有機ＥＬ装置は、有機ＥＬパネルと、配線基板と、有機ＥＬパネルおよび配線基板を挟み込む一対のフィルムシートとを有する。一対のフィルムシートが有機ＥＬ素子の周縁部で接着されることによって、有機ＥＬパネルが一対のフィルムシートの内部に密封されている。フィルムシートおよび有機ＥＬパネルの間の隙間と、配線基板の端面に形成されたフィルムシートおよび配線基板の隙間とが、第１封止樹脂層によって封止されている。
【０００３】
また、特開平１−１１７２９５号公報には、外部から水分がＥＬ素子に侵入してＥＬ素子の寿命が短縮するのを防止し、しかも、電界発光灯を連続生産することによりその生産性を高めることを目的とした、電界発光灯が開示されている（特許文献２）。特許文献２に開示された電界発光灯は、一対の電極を有する電界発光素子と、一対の電極に電気的に接続されて側方に導出させる電極リード端子と、電界発光素子および電極リード端子を気密に封止する防湿フィルムと、防湿フィルムの外側から挿入され、その挿入端が、一対の電極および一対の電極リード端子のいずれかに電気的に接続される導体とを有する。
【０００４】
また、特表２０１３−５３１３３７号公報には、フィリングファクタ（パネルの総表面積に対して、照明されるまたは発光する表面積の割合）を最大化することを目的とした、大面積可撓性ＯＬＥＤ光源が開示されている（特許文献３）。特許文献３に開示されたＯＬＥＤ光源は、バックプレーンと、バックプレーン上に設けられる複数のＯＬＥＤデバイスと、複数のＯＬＥＤデバイスの周縁部の周りに設けられる気密エッジシールとを有する。バックプレーンには、ＯＬＥＤと電気的な接続をするための開口部が形成されている。
【０００５】
また、特表２０１２−５１７０８９号公報には、柔軟かつ容易な製造を可能にするとともに、信頼性のある動作を可能にするようなセグメント化を実現することを目的とした、エレクトロルミッセント装置が開示されている（特許文献４）。特許文献４に開示されたエレクトロルミッセント装置は、基板上に設けられる、基板電極およびカウンタ電極と、基板電極およびカウンタ電極の間に配置される少なくとも１つの有機エレクトロルミッセント層とを有するエレクトロルミッセント積層部と、エレクトロルミッセント積層部を少なくともカプセル封止するカプセル封止手段とを備える。
【０００６】
また、特開２０１４−８９８２５号公報には、有機ＥＬ素子の劣化が生じ難いことを目的とした、有機エレクトロルミッセンス発光装置が開示されている（特許文献５）。特許文献５に開示された有機エレクトロルミッセンス発光装置は、発光パネルと、発光パネル内において、複数の有機層からなる発光領域、および、隣り合う有機層に挟まれた層間領域を含んで封止する封止部材とを有する。
【先行技術文献】
【特許文献】
【０００７】
【特許文献１】特開２０１０−２４４６９８号公報
【特許文献２】特開平１−１１７２９５号公報
【特許文献３】特表２０１３−５３１３３７号公報
【特許文献４】特表２０１２−５１７０８９号公報
【特許文献５】特開２０１４−８９８２５号公報
【発明の概要】
【発明が解決しようとする課題】
【０００８】
上述の特許文献１〜５に開示されるように、有機ＥＬパネル等の発光デバイスを利用した面状の発光装置（照明装置）が提案されている。このような発光装置においては、発光デバイスを風雨やほこり、空気などから保護するために、フィルム等の封止部材による封止構造を設ける必要がある。特に、有機ＥＬパネルは水分や酸素等に対する耐性が低いため、発光デバイスとして有機ＥＬパネルを利用した発光装置では、このような封止構造を設ける必要性が大きくなる。
【０００９】
一方、上記のような封止構造を備えた発光装置では、発光デバイスに対する外部からの電気的な接続が問題となる。フィルム等の封止部材により封止された発光デバイスから電気配線を外部に取り出す際、わずかな隙間が生じてもその隙間から酸素や水分等が侵入したり、封止部材同士の接合面を通じて酸素や水分等が浸透したり、発光デバイスの基板の面方向から酸素や水分等が浸透するなどの懸念がある。たとえば、フレキ配線を用いて電気配線を取り出す場合、フレキ配線の厚みのために、フレキ配線端部の封止部材に隙間が生じ、酸素や水分等の侵入を許してしまう。
【００１０】
したがって、十分な封止性能を得ることに加えて、仮に外部から酸素や水分等が侵入したとしても、これによって発光装置の性能が早期に低下することを防ぐことが重要である。
【００１１】
そこでこの発明の目的は、上記の課題を解決することであり、外部からの酸素や水分等の侵入に起因して性能が早期に低下することがない発光装置を提供することである。
【課題を解決するための手段】
【００１２】
この発明に従った発光装置は、発光面と、発光面の裏側に配置される裏面とを有し、面方向に並んで配置される複数の面状発光部と、複数の面状発光部とその厚み方向に重ね合わされ、複数の面状発光部に電気的に接続される配線部材と、複数の面状発光部を発光面および裏面の両側から覆うように設けられ、複数の面状発光部および配線部材を封止する封止部材とを備える。配線部材は、外部から電力が供給される電極部を有する。封止部材には、電極部を露出させる開口部が形成される。開口部は、複数の面状発光部の全てが配置される面領域の外側に配置される。
【００１３】
このように構成された発光装置によれば、開口部が複数の面状発光部の全てが配置される面領域の外側に配置されるため、仮に酸素や水分等が開口部を通じて封止部材内に侵入することがあっても、その侵入位置を複数の面状発光部から離すことができる。これにより、外部からの酸素や水分等の侵入に起因して発光装置の性能が早期に低下することを防止できる。
【００１４】
また好ましくは、配線部材は、複数の電極部を有する。封止部材には、複数の電極部の各々を露出させ、互いに近接して配置される複数の開口部が形成される。
【００１５】
このように構成された発光装置によれば、開口部を形成したことによる非発光領域の増大を抑制しつつ、複数の開口部の全てを複数の面状発光部から離して配置することが可能となる。
【００１６】
また好ましくは、配線部材は、複数の電極部を有する。封止部材には、複数の電極部を露出させる１つの開口部が形成される。
【００１７】
このように構成された発光装置によれば、複数の電極部に対して１つの開口部を設けることによって、開口部に起因する封止性能の劣化を抑えることができる。
【００１８】
また好ましくは、開口部の開口縁は、同一面内に配置され、配線部材に密着される。
このように構成された発光装置によれば、開口部の開口縁と配線部材とが段差なく密着するため、開口部に起因する封止性能の劣化を抑えることができる。
【００１９】
また好ましくは、面状発光部は、基板と、基板上に設けられる発光素子と、基板上に設けられ、発光素子を封止する封止層とを有する。
【００２０】
このように構成された発光装置によれば、面状発光部を封止する封止部材と、発光素子を封止する封止層とによる２重の封止構造によって、発光素子の封止性能を高めることができる。
【００２１】
また好ましくは、封止部材は、発光面側に配置される第１封止シートと、裏面側に配置される第２封止シートとを含む。第１封止シートおよび第２封止シートの周縁が全周に渡って接合されることにより、複数の面状発光部および配線部材が封止される。
【００２２】
このように構成された発光装置によれば、封止部材をシート材により構成することにより、簡易な構成で高い封止性能を得ることができる。
【発明の効果】
【００２３】
以上に説明したように、この発明に従えば、外部からの酸素や水分等の侵入に起因して性能が早期に低下することがない発光装置を提供することができる。
【図面の簡単な説明】
【００２４】
【図１】この発明の実施の形態１における発光装置を示す平面図である。
【図２】図１中の発光装置を示す分解組み立て図である。
【図３】図１中の面状発光部を示す断面図である。
【図４】図１中の配線部材を示す平面図である。
【図５】図１中の発光装置において、面状発光部、配線部材および封止部材の積層形態を模式的に表わす図である。
【図６】図４中の２点鎖線ＶＩで囲まれた範囲を拡大して示す平面図である。
【図７】図１中の発光装置において、複数の面状発光部の全てが配置される面領域を示す図である。
【図８】この発明の実施の形態２における発光装置において、面状発光部、配線部材および封止部材の積層形態を模式的に表わす図である。
【図９】図８中の矢印ＩＸに示す方向から見た配線部材を示す図である。
【図１０】図８中の矢印Ｘに示す方向から見た配線部材を示す図である。
【図１１】複数の面状発光部の全てが配置される面領域の一例を示す図である。
【図１２】図１１中の外側領域において、開口部の形成により好適な範囲を示す図である。
【図１３】図１１中の外側領域において、開口部の形成にさらに好適な範囲を示す図である。
【図１４】複数の面状発光部の全てが配置される面領域の別の例を示す図である。
【発明を実施するための形態】
【００２５】
この発明の実施の形態について、図面を参照して説明する。なお、以下で参照する図面では、同一またはそれに相当する部材には、同じ番号が付されている。
【００２６】
（実施の形態１）
図１は、この発明の実施の形態１における発光装置を示す平面図である。図２は、図１中の発光装置を示す分解組み立て図である。
【００２７】
図１および図２を参照して、本実施の形態における発光装置１０は、薄板形状を有し、照明、装飾またはバックライト等の様々な用途で用いられる。
【００２８】
発光装置１０は、複数の面状発光部３１を有する。面状発光部３１は、面状に延在する発光手段（発光デバイス）として設けられている。本実施の形態では、面状発光部３１が、有機ＥＬパネルから構成されている。面状発光部３１は、可撓性を有しており、全体として曲げ可能である。
【００２９】
図３は、図１中の面状発光部を示す断面図である。図３を参照して、面状発光部３１は、発光面３１ｓおよび裏面３１ｔを有する。面状発光部３１は、発光面３１ｓから発光する。裏面３１ｔは、発光面３１ｓの裏側に配置されている。
【００３０】
面状発光部３１は、発光面３１ｓおよび裏面３１ｔを正面から見る平面視において、矩形形状を有する。面状発光部３１の厚みは、たとえば、５０μｍ〜２００μｍである。
【００３１】
本実施の形態では、複数の面状発光部３１として、面状発光部３１Ａおよび面状発光部３１Ｂが設けられている。面状発光部３１Ａおよび面状発光部３１Ｂは、互いに間隔を設けて配置されている。面状発光部３１Ａおよび面状発光部３１Ｂは、面状発光部３１の端辺（より具体的にいえば、短辺）同士が、互いに平行に延びて、向かい合わせとなるように配置されている。
【００３２】
面状発光部３１は、基板としての透明基板４１と、バリア層３２と、陽極（アノード）３３と、発光素子としての有機層３４と、陰極（カソード）３５と、封止層３６と、絶縁層３７とを有する。
【００３３】
透明基板４１は、面状発光部３１の発光面３１ｓ側に配置されている。バリア層３２は、発光面３１ｓとは反対側の透明基板４１の表面を覆うように設けられている。陽極３３、有機層３４および陰極３５は、バリア層３２上に順次積層されている。封止層３６は、陽極３３、有機層３４および陰極３５からなる積層体を覆うように設けられている。
【００３４】
透明基板４１は、透明性を有する。透明基板４１を構成する部材としては、たとえば、ポリエチレンテレフタレート（ＰＥＴ）またはポリカーボネイト（ＰＣ）等の光透過性のフィルム基板が用いられる。
【００３５】
光透過性のフィルム基板としては、他にポリイミド、ポリエチレンナフタレート（ＰＥＮ）、ポリスチレン（ＰＳ）、ポリエーテルサルフォン（ＰＥＳ）またはポリプロピレン（ＰＰ）等が用いられる。
【００３６】
バリア層３２は、透明性を有する。バリア層３２は、たとえば、珪素酸化物や珪素窒化物等の珪素化合物、金属酸化物や金属窒化物等の金属化合物、またはこれらの混合物から構成されている。バリア層３２は、有機層３４を、大気中や基板中の水分および酸素等から保護するために設けられている。
【００３７】
陽極３３は、透明性を有する導電膜である。陽極３３を形成するためには、スパッタリング法等によって、ＩＴＯ（Indium Tin Oxide：インジウム錫酸化物）等が透明基板４１上に成膜される。陽極３３に用いられる他の材料としては、ポリエチレンジオキシチオフェン（ＰＥＤＯＴ）が用いられる。
【００３８】
有機層３４は、電力が供給されることによって光（可視光）を生成することが可能である。有機層３４は、単層の発光層から構成されてもよく、正孔輸送層、発光層、正孔阻止層および電子輸送層などが順次積層されることによって構成されてもよい。
【００３９】
陰極３５は、たとえば、アルミニウム（Ａｌ）である。陰極３５は、真空蒸着法等によって有機層３４を覆うように形成されている。陰極３５を所定の形状にパターニングするために、真空蒸着の際にはマスクが用いられるとよい。陰極３５の他の材料としては、フッ化リチウム（ＬｉＦ）、ＡｌとＣａとの積層、ＡｌとＬｉＦとの積層、または、ＡｌとＢａとの積層等が用いられる。
【００４０】
陰極３５と陽極３３とが短絡しないように、陰極３５と陽極３３との間には絶縁層３７が設けられている。絶縁層３７は、たとえば、スパッタリング法を用いてＳｉＯ２などが成膜された後、フォトリソグラフィ法等を用いて陰極３５と陽極３３とを互いに絶縁する箇所を覆うように所望のパターンに形成される。
【００４１】
封止層３６は、面状発光部３１の裏面３１ｔ側に配置されている。封止層３６は、絶縁性を有する樹脂から形成されている。封止層３６は、有機層３４を、大気中の水分や酸素等から保護するために設けられている。封止層３６は、陽極３３、有機層３４および陰極３５を透明基板４１上に封止する。なお、陽極３３の一部は、電気的な接続のために封止層３６から露出している。
【００４２】
封止層３６には、ＰＥＴ、ＰＥＮ、ＰＳ、ＰＥＳ、ポリイミド等のフィルムに、ＳｉＯ２、Ａｌ２Ｏ３、ＳｉＮｘ等の無機薄膜と、柔軟性のあるアクリル樹脂薄膜などとを層状に複数層重ね合わせることでガスバリア性を備えたものが用いられてもよい。
【００４３】
封止層３６から露出している陽極３３の部分（図３中の左側の部分）は、給電部（陽極用）３８を構成する。給電部３８と陽極３３とは互いに同じ材料で構成される。封止層３６から露出している陰極３５の部分（図３中の右側の部分）は、給電部（陰極用）３９を構成する。給電部３９と陰極３５とは互いに同じ材料で構成される。
【００４４】
以上のように構成される面状発光部３１においては、後述する配線部材５１、給電部３８，３９、陽極３３および陰極３５を通じて、有機層３４に給電される。電力供給により有機層３４で生成された光は、陽極３３、バリア層３２および透明基板４１を通じて、発光面３１ｓから外部に出射される。
【００４５】
なお、本実施の形態では、裏面３１ｔが非発光面となる面状発光部３１について説明したが、このような構成に限られず、本発明における面状発光部は、裏面も発光面となる両面発光型であってもよい。また、本実施の形態では、面状発光部３１が可撓性を有する場合について説明したが、面状発光部３１は、曲げ変形不可なリジットな構成であってもよい。
【００４６】
図１から図３を参照して、発光装置１０は、配線部材５１をさらに有する。配線部材５１は、シート状であり、面状発光部３１の厚み方向において複数の面状発光部３１と重ね合わされている。
【００４７】
より具体的には、配線部材５１の一部が、面状発光部３１の厚み方向において複数の面状発光部３１と重ね合わされている。配線部材５１は、面状発光部３１の裏面３１ｔ側と面合わせとなるように配置されている。配線部材５１は、複数の面状発光部３１と電気的に接続されている。配線部材５１は、複数の面状発光部３１と、後述する外部配線７２との間を電気的に接続する。
【００４８】
図４は、図１中の配線部材を示す平面図である。図５は、図１中の発光装置において、面状発光部、配線部材および封止部材の積層形態を模式的に表わす図である。図１から図５を参照して、配線部材５１は、基板５２と、通電部５６とを有する。
【００４９】
基板５２は、可撓性を有する。基板５２は、その構成部位として、電極形成部５３と、分岐部５４および分岐部５５とを有する。電極形成部５３は、面状発光部３１の厚み方向において、複数の面状発光部３１と重なり合わない位置に配置されている。分岐部５４および分岐部５５は、電極形成部５３から分岐し、面状発光部３１Ａおよび面状発光部３１Ｂの端辺（より具体的には、長辺）に沿って帯状に延在する。分岐部５４および分岐部５５は、互いに平行に配置されている。分岐部５４は、面状発光部３１の厚み方向において、面状発光部３１Ａおよび面状発光部３１Ｂの給電部（陽極用）３８と重なり合う位置に配置されている。分岐部５５は、面状発光部３１の厚み方向において、面状発光部３１Ａおよび面状発光部３１Ｂの給電部（陰極用）３９と重なり合う位置に配置されている。
【００５０】
通電部５６は、印刷、蒸着、メッキまたはスパッタなどの成膜技術によって、基板５２の表面に形成されている。通電部５６の厚みは、たとえば０．１μｍ〜１０μｍである。通電部５６の材質は、たとえば、銅もしくはニッケル、またはこれらの積層体である。銅もしくはニッケル、またはこれらの積層体に加えて、これらの表面に金がメッキされてもよい。成膜に限られず、通電部５６は、いわゆる銅箔テープなど、金属製の薄箔が、導電性接着剤（ＡＣＦ：異方性導電膜など）を用いて基板５２の表面に貼り付けられたものであってもよい。
【００５１】
通電部５６は、その構成部位として、電極部５７を有する。電極部５７は、基板５２のうちの電極形成部５３に形成されている。電極部５７には、外部電力用の接続コネクタ７１から延伸する外部配線７２が接続される。電極部５７には、外部配線７２を通じて外部電力が供給される。
【００５２】
本実施の形態では、通電部５６として、通電部５６ｐ、通電部５６ｑおよび通電部５６ｒが設けられ、電極部５７として、電極部５７ｐ、電極部５７ｑおよび電極部５７ｒが設けられている。通電部５６ｐ、通電部５６ｑおよび通電部５６ｒは、その構成部位として、それぞれ、電極部５７ｐ、電極部５７ｑおよび電極部５７ｒを有する。電極部５７ｐ、電極部５７ｑおよび電極部５７ｒは、電極形成部５３において互いに近接して配置されている。電極部５７ｐ、電極部５７ｑおよび電極部５７ｒは、互いに間隔を設けて一方向に並んで配置されている。
【００５３】
通電部５６ｐは、電極部５７ｐから線状に延伸し、その先端に接続部６１を有する。接続部６１は、基板５２のうちの分岐部５４に設けられている。接続部６１は、導電性接着剤（ＡＣＦ）を用いて、面状発光部３１Ａの給電部３８に接続されている。
【００５４】
通電部５６ｑは、電極部５７ｑから線状に延伸し、その先端に接続部６２を有する。接続部６２は、基板５２のうちの分岐部５４に設けられている。接続部６２は、基板５２の表面上において、電極部５７および接続部６１の間に設けられている。接続部６２は、導電性接着剤（ＡＣＦ）を用いて、面状発光部３１Ｂの給電部３８に接続されている。
【００５５】
通電部５６ｒは、電極部５７ｒから線状に延伸し、その先端に接続部６３を有する。通電部５６ｒは、電極部５７ｒおよび接続部６３の間に接続部６４をさらに有する。接続部６３および接続部６４は、基板５２のうちの分岐部５５に設けられている。接続部６３および接続部６４は、それぞれ、分岐部５４における接続部６１および接続部６２に対向する位置に設けられている。接続部６３および接続部６４は、それぞれ、導電性接着剤（ＡＣＦ）を用いて、面状発光部３１Ａの給電部３９および面状発光部３１Ｂの給電部３９に接続されている。
【００５６】
接続部６１〜６４は、導電性接着剤（ＡＣＦ）を用いることなく、面状発光部３１の給電部３８，３９に圧接されてもよい。
【００５７】
配線部材５１は、カバーレイ（不図示）をさらに有してもよい。カバーレイは、通電部５６を覆うように基板５２の表面上に設けられる。カバーレイには、電極部５７と、接続部６１〜６４とを露出させるための開口部または切り欠き部が設けられる。
【００５８】
なお、配線部材５１（基板５２，通電部５６）の形状は、図４中に示す形状に限られず、面状発光部３１の形状や、複数の面状発光部３１の配置に合わせて適宜、変更される。
【００５９】
発光装置１０は、封止部材２０をさらに有する。封止部材２０は、面方向に並べられた複数の面状発光部３１を、発光面３１ｓおよび裏面３１ｔの両側から覆うように設けられている。封止部材２０は、複数の面状発光部３１および配線部材５１を封止する。
【００６０】
本実施の形態では、封止部材２０として、第１封止シートとしての封止シート２１と、第２封止シートとしての封止シート２６とが設けられている。
【００６１】
封止シート２１および封止シート２６は、それぞれ、面状発光部３１の発光面３１ｓおよび裏面３１ｔ側に配置されている。面状発光部３１の厚み方向において、封止シート２１および配線部材５１の間には、複数の面状発光部３１が設けられている。面状発光部３１の厚み方向において、複数の面状発光部３１および封止シート２６の間には、配線部材５１が設けられている。
【００６２】
封止シート２１および封止シート２６は、シート状であり、その平面視において略同一の形状を有する。封止シート２１および封止シート２６は、その平面視において配線部材５１に対応する形状を有する。封止シート２１および封止シート２６の面積は、配線部材５１の面積よりも大きい。封止シート２１および封止シート２６の周縁が全周に渡って接合されることにより、複数の面状発光部３１および配線部材５１が封止部材２０の内部に封止されている。
【００６３】
封止シート２１，２６としては、たとえば、シート状の樹脂部材が用いられる。封止シート２１，２６は、可撓性を有する。封止シート２１，２６の厚みは、たとえば、２５μｍ〜５０μｍである。
【００６４】
封止シート２１，２６の具体的な材質は、ポリエチレンテレフタレート、ポリプロピレン、アクリル、ポリイミドまたはポリサルフォン等である。封止シート２１，２６としては、これらの素材に加えて、バリア性を向上させるために各種の成膜を施したものを用いてもよい。封止シート２１，２６の色は特に制約がないが、封止シート２１，２６のうちの少なくとも封止シート２１は、面状発光部３１の発光面３１ｓから出射された光を透過させるため高い透明性を有する。封止シート２１および封止シート２６の両方が、透明性を有してもよい。
【００６５】
封止シート２１，２６を接合するために、封止シート２１，２６の内側表面には接着剤（図示せず）が設けられる。接着剤としては、たとえば、熱可塑性樹脂、熱硬化性樹脂または紫外線硬化樹脂等の種々の材料が用いられる。接着剤の厚みは、たとえば、２０μｍ〜５０μｍである。
【００６６】
封止シート２１は、その構成部位として、主要部２３およびタブ部２４を有する。主要部２３は、複数の面状発光部３１の全てが配置される面領域（後述する面領域１１０）よりも大きい面積を有する。本実施の形態では、主要部２３が、矩形形状を有する。面状発光部３１の厚み方向において、複数の面状発光部３１と、配線部材５１（基板５２）のうちの分岐部５４および分岐部５５とが、主要部２３に重なり合って配置されている。
【００６７】
タブ部２４は、主要部２３の周縁から、面状発光部３１より離れる方向に突出するタブ形状を有する。面状発光部３１の厚み方向において、配線部材５１（基板５２）のうちの電極形成部５３が、タブ部２４に重なり合って配置されている。
【００６８】
封止シート２６は、その構成部位として、主要部２８およびタブ部２９を有する。主要部２８およびタブ部２９は、それぞれ、封止シート２１における主要部２３およびタブ部２４と同様の形態で設けられている。
【００６９】
図６は、図４中の２点鎖線ＶＩで囲まれた範囲を拡大して示す平面図である。図１から図６を参照して、封止部材２０には、開口部２２が形成されている。開口部２２は、配線部材５１における電極部５７を露出させる。外部配線７２は、開口部２２を通じて、外部に露出した電極部５７の部分に接続される。
【００７０】
なお、図６中では、封止部材２０に形成される開口部２２が２点鎖線により表され、外部配線７２が接続される電極部５７の表面領域が、ランド６６として表されている。
【００７１】
本実施の形態では、開口部２２が、封止シート２１に形成されている。開口部２２は、封止シート２１をその厚み方向において貫通するように形成されている。開口部２２の開口面は、面状発光部３１の面方向に平行である。開口部２２は、配線部材５１（基板５２）のうちの電極形成部５３の直上で開口している。開口部２２は、封止シート２１のうちのタブ部２４に形成されている。
【００７２】
なお、図中では、開口部２２が円形状の開口面を有する場合が示されているが、開口部２２の開口面の形状は、電極部５７を露出させることが可能な形状であれば、特に限定されない。
【００７３】
開口部２２の開口面の面積は、電極部５７の面積よりも小さい。開口部２２の開口面の面積は、ランド６６の面積よりも大きい。開口部２２の開口縁（言い換えれば、開口部２２を規定している封止シート２１の縁部分）は、同一平面に配置されている。開口部２２の開口縁は、配線部材５１（より具体的には電極部５７、カバーレイが設けられる場合にはカバーレイ）に密着されている。開口部２２の開口縁は、接着剤により配線部材５１に接合されている。
【００７４】
このような構成によれば、開口部２２が、配線部材５１上の高さが一定で段差のない範囲に配置されるため、開口部２２の開口縁と配線部材５１との間で、段差に起因する隙間が生じることがない。これにより、開口部２２を通じて外部から封止部材２０内に水分や酸素等が侵入することを防止できる。
【００７５】
隙間の発生をより確実に防ぐという観点から、開口部２２の開口縁が密着される電極部５７の表面は、段差がほとんどまたは全く無い、できるだけ平坦な（平坦度のできるだけ高い）形状を有することが好ましい。
【００７６】
なお、本発明においては、開口部２２が、配線部材５１上の段差部を跨ぐように設けられてもよい。この場合、１０μｍ未満のわずかな段差であれば、封止シート２１および封止シート２６間を接合するための接着剤の厚みを、段差部の５〜１０倍の５０μｍ〜１００μｍとすることにより、隙間の発生を防ぐことができる。
【００７７】
開口部２２として、開口部２２ｐ、開口部２２ｑおよび開口部２２ｒが形成されている。開口部２２ｐ、開口部２２ｑおよび開口部２２ｒは、それぞれ、電極部５７ｐ、電極部５７ｑおよび電極部５７ｒを露出させる。本実施の形態では、面状発光部３１Ａの給電部（陰極用）３９および面状発光部３１Ｂの給電部（陰極用）３９と、配線部材５１との間の接続に共通の通電部５６ｒを用いているため、電極部５７の総数を、複数の面状発光部３１の給電部３８，３９の総数よりも少なくすることができる。これにより、開口部２２の総数も少なくなるため、開口部２２を通じた水分や酸素等の侵入をより効果的に防ぐことができる。
【００７８】
なお、本実施の形態では、面状発光部３１Ａの給電部（陽極用）３８および面状発光部３１Ｂの給電部（陽極用）３８に対して個別に電力を供給可能な構成としたが、陰極および陽極ともに共通の通電部５６を用いて、面状発光部３１Ａおよび面状発光部３１Ｂを直列に接続してもよい。
【００７９】
図７は、図１中の発光装置において、複数の面状発光部の全てが配置される面領域を示す図である。
【００８０】
図１から図７を参照して、複数の面状発光部３１の全てが配置される面領域１１０が規定されている。より具体的には、面領域１１０は、面状発光部３１Ｂとは反対側に配置される面状発光部３１Ａの短辺と、面状発光部３１Ａおよび面状発光部３１Ｂの一方の長辺に沿って延びる直線と、面状発光部３１Ａとは反対側に配置される面状発光部３１Ｂの短辺と、面状発光部３１Ａおよび面状発光部３１Ｂの他方の長辺に沿って延びる直線とに囲まれる矩形形状を有する。
【００８１】
開口部２２は、その面領域１１０の外側の外側領域１２０に配置されている。外側領域１２０は、封止シート２１における、タブ部２４の全体と、主要部２３のうちで面領域１１０の周りの帯状部分とから構成されている。
【００８２】
このような構成によれば、仮に酸素や水分等が開口部２２を通じて封止部材２０内に侵入することがあっても、その侵入位置を複数の面状発光部３１から離すことができる。これにより、封止部材２０内に侵入した酸素や水分等が面状発光部３１に到達するまでの時間が長くなるため、発光装置１０の長寿命化を図ることができる。
【００８３】
なお、可撓性を有する発光装置１０が湾曲した形態で使用される場合、面領域１１０は、発光装置１０の形状に対応した湾曲面として規定される。
【００８４】
本実施の形態では、開口部２２ｐ、開口部２２ｑおよび開口部２２ｒは、互いに近接して配置されている。開口部２２ｐ、開口部２２ｑおよび開口部２２ｒは、互いに間隔を設けて一方向に並んで配置されている。このような構成によれば、開口部２２ｐ、開口部２２ｑおよび開口部２２ｒが一か所に集められるため、発光装置１０の小型化を図りつつ、開口部２２ｐ、開口部２２ｑおよび開口部２２ｒの全てを複数の面状発光部３１から遠ざけて配置することが可能となる。
【００８５】
以上に説明した、この発明の実施の形態１における発光装置１０の構造についてまとめて説明すると、本実施の形態における発光装置１０は、発光面３１ｓと、発光面３１ｓの裏側に配置される裏面３１ｔとを有し、面方向に並んで配置される複数の面状発光部３１と、複数の面状発光部３１とその厚み方向に重ね合わされ、複数の面状発光部３１に電気的に接続される配線部材５１と、複数の面状発光部３１を発光面３１ｓおよび裏面３１ｔの両側から覆うように設けられ、複数の面状発光部３１および配線部材５１を封止する封止部材２０とを備える。配線部材５１は、外部から電力が供給される電極部５７を有する。封止部材２０には、電極部５７を露出させる開口部２２が形成される。開口部２２は、複数の面状発光部３１の全てが配置される面領域１１０の外側に配置される。
【００８６】
このように構成された、この発明の実施の形態１における発光装置１０によれば、開口部２２を複数の面状発光部３１から遠ざけて配置することにより、外部からの酸素や水分等の侵入に起因して発光装置１０の性能が早期に低下することを防止できる。
【００８７】
（実施の形態２）
図８は、この発明の実施の形態２における発光装置において、面状発光部、配線部材および封止部材の積層形態を模式的に表わす図である。図９は、図８中の矢印ＩＸに示す方向から見た配線部材を示す図である。図１０は、図８中の矢印Ｘに示す方向から見た配線部材を示す図である。
【００８８】
本実施の形態における発光装置は、実施の形態１における発光装置１０と比較して、配線部材５１の構造と、封止部材２０に形成される開口部２２の形態とが異なる。以下、重複する構造については説明を繰り返さない。
【００８９】
図８から図１０を参照して、本実施の形態では、通電部５６が、その構成部位として、中継部８１（中継部８１ｐ，中継部８１ｑ，中継部８１ｒ）を有する。中継部８１は、基板５２のうちの電極形成部５３に形成されている。中継部８１ｐは、図５中の電極部５７ｐに替わって、通電部５６ｐの構成部位として設けられ、中継部８１ｑは、図５中の電極部５７ｑに替わって、通電部５６ｑの構成部位として設けられ、中継部８１ｒは、図５中の電極部５７ｒに替わって、通電部５６ｒの構成部位として設けられている。
【００９０】
配線部材５１は、電極部８２（電極部８２ｐ，電極部８２ｑ，電極部８２ｒ）と、導電層８４とを有する。
【００９１】
電極部８２は、封止シート２６と対面する基板５２の表面に形成されている。電極部８２ｐ、電極部８２ｑおよび電極部８２ｒは、それぞれ、基板５２を挟んで、中継部８１ｐ、中継部８１ｑおよび中継部８１ｒの裏側に配置されている。基板５２には、その厚み方向に貫通するスルーホール８３が形成されている。スルーホール８３を充填する導電層８４を通じて、中継部８１ｐ、中継部８１ｑおよび中継部８１ｒと、電極部８２ｐ、電極部８２ｑおよび電極部８２ｒとが、それぞれ、電気的に接続されている。
【００９２】
封止部材２０には、実施の形態１における開口部２２に替わって、開口部２７が形成されている。開口部２７は、配線部材５１における電極部８２ｐ、電極部８２ｑおよび電極部８２ｒを露出させる。図１中の外部配線７２は、開口部２７を通じて、外部に露出した電極部８２の部分に接続される。
【００９３】
開口部２７は、封止シート２６に形成されている。開口部２７は、封止シート２６のうちの図２中のタブ部２９に形成されている。
【００９４】
本実施の形態では、開口部２７が、電極部８２ｐ、電極部８２ｑおよび電極部８２ｒを含むように設けられている。複数の電極部８２に対して１つの開口部２７を設けることによって、開口部２７に起因する封止性能の劣化を抑えることができる。
【００９５】
開口部２７の開口縁（言い換えれば、開口部２７を規定している封止シート２６の縁部分）は、同一平面に配置されている。開口部２７の開口縁は、配線部材５１（より具体的には基板５２）に密着されている。
【００９６】
このように構成された、この発明の実施の形態２における発光装置によれば、実施の形態１に記載の効果を同様に奏することができる。
【００９７】
（実施の形態３）
本実施の形態では、実施の形態１において説明した面領域１１０および外側領域１２０についてより詳細に説明する。
【００９８】
図１１は、複数の面状発光部の全てが配置される面領域の一例を示す図である。図１１を参照して、本例では、複数の面状発光部３１として、面状発光部３１Ａ、面状発光部３１Ｂ、面状発光部３１Ｃおよび面状発光部３１Ｄが設けられている。面状発光部３１Ａ、面状発光部３１Ｂ、面状発光部３１Ｃおよび面状発光部３１Ｄは、縦横のマトリクス状に並んで設けられている。
【００９９】
図中では、面状発光部３１Ａ、面状発光部３１Ｂ、面状発光部３１Ｃおよび面状発光部３１Ｄの全てが配置される面領域１１０が規定されている。面領域１１０は、外周に配置される各面状発光部３１において、他の面状発光部３１と向かい合わない外縁（端辺）を特定し、外周に配置される複数の面状発光部３１間でその外縁（端辺）同士を最短距離で結ぶことによって規定される。開口部２２は、面領域１１０の外側の外側領域１２０に形成される。
【０１００】
図１２は、図１１中の外側領域において、開口部の形成により好適な範囲を示す図である。図１２を参照して、外側領域１２０内において、単一の面状発光部３１の角部９１と隣り合うことが可能な角領域１３０が規定されている。開口部２２は、外側領域１２０内のうちでも角領域１３０に設けられることが好ましい。この場合、仮に酸素や水分等が開口部２２を通じて侵入することがあっても、これら侵入物がまず面状発光部３１の角部９１に到達するため、面状発光部３１において侵入物が広範囲に広がることを抑制することができる。
【０１０１】
図１３は、図１１中の外側領域において、開口部の形成にさらに好適な範囲を示す図である。図１３を参照して、外側領域１２０は、面領域１１０の周りで帯状に延在する帯状領域１２５と、帯状領域１２５から、面領域１１０より遠ざかる方向に突出するタブ領域１２６とから構成されている。開口部２２は、外側領域１２０内のうちでもタブ領域１２６に設けられることが好ましい。この場合、開口部２２を、複数の面状発光部３１からより積極的に遠ざけることができる。
【０１０２】
図１４は、複数の面状発光部の全てが配置される面領域の別の例を示す図である。図１４を参照して、本例では、複数の面状発光部３１が、縦横に千鳥状に並んで設けられている。図中では、上記に説明した方法により、複数の面状発光部３１の全てが配置される面領域１１０が規定されている。
【０１０３】
このように構成された、この発明の実施の形態３における発光装置によれば、実施の形態１に記載の効果を同様に奏することができる。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０５】
この発明は、たとえば、有機ＥＬパネルを用いた発光装置に利用される。
【符号の説明】
【０１０６】
１０  発光装置、２０  封止部材、２１，２６  封止シート、２２，２２ｐ，２２ｑ，２２ｒ，２７  開口部、２３，２８  主要部、２４，２９  タブ部、３１，３１Ａ，３１Ｂ，３１Ｃ，３１Ｄ  面状発光部、３１ｓ  発光面、３１ｔ  裏面、３２  バリア層、３３  陽極、３４  有機層、３５  陰極、３６  封止層、３７  絶縁層、３８，３９  給電部、４１  透明基板、５１  配線部材、５２  基板、５３  電極形成部、５４，５５  分岐部、５６，５６ｐ，５６ｑ，５６ｒ  通電部、５７，５７ｐ，５７ｑ，５７ｒ，８２，８２ｐ，８２ｑ，８２ｒ  電極部、６１，６２，６３，６４  接続部、６６  ランド、７１  接続コネクタ、７２  外部配線、８１，８１ｐ，８１ｑ，８１ｒ  中継部、８３  スルーホール、８４  導電層、９１  角部、１１０  面領域、１２０  外側領域、１２５  帯状領域、１２６  タブ領域、１３０  角領域。
【図１】
2017050153.tif 000003
【図２】
2017050153.tif 000004
【図３】
2017050153.tif 000005
【図４】
2017050153.tif 000006
【図５】
2017050153.tif 000007
【図６】
2017050153.tif 000008
【図７】
2017050153.tif 000009
【図８】
2017050153.tif 000010
【図９】
2017050153.tif 000011
【図１０】
2017050153.tif 000012
【図１１】
2017050153.tif 000013
【図１２】
2017050153.tif 000014
【図１３】
2017050153.tif 000015
【図１４】
2017050153.tif 000016